(57)【要約】【課題】Ｘ線透視撮影装置において被検者の被曝領域と被曝線量を算出して限界被曝線量を超えた場合警報を発して術者に知らせる機能が考案されているが、循環器検査のように一回の検査に比較的長い時間を必要とする検査では、術者が検査中に許容被曝線量を超えたことを知っても、一連の検査や作業が終了するまで透視をやめることができないので、許容被曝線量を超える被曝の発生を防止することができない。【解決手段】検査中常時被検者の体表面の各区分ごとに許容被曝線量に達するまでの残り時間を透視可能時間として表示することにより、術者はこのままの照射位置で検査を続けるか、あるいは照射位置を変えて検査を続けるかを残り時間によって適切に判断することができる。【選択図】          図１
2007244489.tif 000002
【特許請求の範囲】
【請求項１】
Ｘ線を発生するＸ線発生手段と、被検者を透過したＸ線を検出するＸ線検出手段を有し、前記Ｘ線検出手段から出力される画像信号を処理してＸ線画像を表示する機能を備えたＸ線透視撮影装置において、事前に定めた前記被検者の体表面上のＸ線照射領域へのＸ線発生手段から照射されるＸ線の入射線量率を算出し、前記被検者の過去の被曝線量と許容被曝線量および前記入射線量率から、前記Ｘ線照射領域への前記被検者に対する照射可能時間を算出する演算手段と、前記演算手段により算出された照射可能時間を通知する通知手段を設けたことを特徴とするＸ線透視撮影装置。
【発明の詳細な説明】
【技術分野】
【０００１】
診断のためにＸ線を用いて透視や撮影を行う診断用Ｘ線透視撮影装置に関する。
【背景技術】
【０００２】
Ｘ線を用いた透視や撮影は診断上有益な情報をもたらすが、一方で人体に有害なＸ線被曝を伴っている。そのためＸ線を操作する操作者はこの点に常に留意して検査を行っているが、循環器検査等長時間を要する検査の場合特に注意が必要であり、そのための機能を備えた装置も考えられている。このような装置の一例について図３を用いて簡単に説明する。
【０００３】
図３に示す循環器検査用Ｘ線透視撮影装置は両端部にＸ線管２とＸ線検出器５を対向配置して保持するC型アーム部１Aを被検者４の体軸周りの円弧に沿う形で摺動可能に保持するＣアーム保持装置１と、被検者４を載置してＸ線管２とＸ線検出器５の間に配置する天板３を上下動および水平動可能に支持する検診台（図示しない）と、Ｘ線管２の前面に取り付けられたコリメータ１３によるＸ線照射野の制御を含めてＸ線の発生に関する制御を行うＸ線制御部７と、天板３の上下動あるいは水平動の制御を行う天板制御部８と、Ｃアーム保持装置１のC型アーム部１Aの体軸周りの回転角度を制御することにより、Ｘ線管２とＸ線検出器５の被検者４の体軸周りの配置を制御するＣアーム制御部９と、被検者４を透過したＸ線を電気信号に変換する、図３ではイメージインテンシファイアとテレビカメラの組み合わせにより構成されるＸ線検出器５からの出力を画像処理する画像処理部１０と、術者（図示しない）からの入力指示に従って装置を動作させるために前記各制御部および画像処理部１０を互いに関連付けて制御する、たとえばマイクロコンピュータ等により構成されるシステム制御部１１と、画像処理部１０の出力を表示する２台のモニタ装置６から構成されている。そしてＸ線制御部７から得られるコリメータ１３の開口度、天板制御部８から得られる天板位置情報、Ｃアーム制御部９から得られるＸ線管２とＸ線検出器５の被検者４に対する配置情報、Ｘ線制御部７から得られるＸ線条件等から被検者４の体表面上の被曝領域および被曝線量がシステム制御部１１によって計算され、モニタ装置６に表示されるとともに、許容被曝線量を超えた場合あるいは許容被曝線量に対して事前に定められた一定の割合に達した場合等には警報が発されて術者に通知される（例えば特許文献１参照）。
【特許文献１】特開２０００−１５２９２４号公報
【発明の開示】
【発明が解決しようとする課題】
【０００４】
循環器検査のように一回の検査に比較的長い時間を必要とする検査では、術者が検査中に上述のような装置で許容被曝線量を超えたことを知っても、一連の検査やたとえば被検者の血管内に挿入されているカテーテルを除去する作業等が終了するまで透視をやめることができないので、許容被曝線量を超える被曝の発生を防止することができない。また許容被曝線量を超える前に警報等により知らされても、あとどのくらいの時間現状の照射位置で検査を続けていいのか簡単には判断できない。本発明はこのような不都合を解決するためのものである。
【課題を解決するための手段】
【０００５】
請求項１記載の発明は上記の目的を達成するために、Ｘ線を発生するＸ線発生手段と、被検者を透過したＸ線を検出するＸ線検出手段を有し、前記Ｘ線検出手段から出力される画像信号を処理してＸ線画像を表示する機能を備えたＸ線透視撮影装置において、事前に定めた前記被検者の体表面上のＸ線照射領域へのＸ線発生手段から照射されるＸ線の入射線量率を算出し、前記被検者の過去の被曝線量と許容被曝線量および前記入射線量率から、前記Ｘ線照射領域への前記被検者に対する照射可能時間を算出する演算手段と、前記演算手段により算出された照射可能時間を通知する通知手段を設けたＸ線透視撮影装置を提供する。
【発明の効果】
【０００６】
本発明により術者は検査中常時被検者の体表面の各区分ごとに許容被曝線量に達するまでの残り時間を表示等により知ることができるので、現在の照射位置で検査を続けるか、あるいは照射位置を変えて検査を続けるかを常に適切に判断することができる。
【発明を実施するための最良の形態】
【０００７】
本発明の実施例について図１〜図３を用いて説明する。図３に示すＸ線透視撮影装置の構成は背景技術の項で述べたとおりなので再度の説明は省略するが、術者（図示しない）はシステム制御部１１に付属した操作パネル（図示しない）等を操作して、天板３の上下動あるいは水平動を制御することや、Ｘ線管２とＸ線検出器５の被検者４の体軸周りの配置を制御することや、コリメータ１３の開口度の制御を行うこと等により、例えば被検者４を天板３の裏面から見た図である図２に示すように、被検者４の体表面上でＸ線照射領域１２を決め、さらに透視Ｘ線条件（管電圧、管電流）を決める。そしてシステム制御部１１はＸ線制御部７から得られるコリメータ１３の開口度、天板制御部８から得られる天板３の高さおよび水平方向の位置、Ｃアーム制御部９から得られるＸ線管２とＸ線検出器５の被検者４の体軸周りの配置情報により、Ｘ線照射領域１２が被検者４の体表面上にあらかじめ決められた領域（図２では領域ａから領域ｈのみを例示）のうちどの領域に属しているかを判断するとともに、天板３の高さおよび水平方向の位置とＸ線管２とＸ線検出器５の被検者４の体軸周りの配置情報から算出されるＸ線管２の焦点から各領域までの距離およびＸ線制御部７から得られる透視Ｘ線条件（管電圧、管電流）から、次の（１）式に従って現在の入射線量率Ｘｎを算出する。なおNDD・Mf係数は管電圧値とＸ線管２のアルミニウム濾過と整流方式により決まる定数としてあらかじめ実験的に求められ、表形式でシステム制御部１１に内蔵される記憶部（図示しない）に記憶されている。
【数１】
2007244489.tif 000003
【０００８】
図２の例ではＸ線照射領域１２は被検者４の体表面上の領域ａ、領域ｂ、領域ｅ、領域ｆに属していると判断され、それぞれの領域の入射線量率Ｘａ，Ｘｂ，Ｘｅ，Ｘｆが算出される。その後システム制御部１１はこれらの値に加えて、システム制御部１１に付属する操作パネルから術者等により事前に入力され、システム制御部１１に内蔵される記憶部に記憶されている被検者４の体表面上の各領域に対する過去１年間の被曝線量のうち領域ａ、領域ｂ、領域ｅ、領域ｆの値Ｙａ，Ｙｂ，Ｙｅ，Ｙｆおよび皮膚に対する年間許容被曝線量Ａを用いて、次の（２）式に従って、各領域に対する透視可能時間Ｔａ，Ｔｂ，Ｔｅ，Ｔｆを算出後、画像処理部１０を経由してたとえば図１に示す表のような形式でモニタ装置６に表示する。
【数２】
2007244489.tif 000004
【０００９】
そして術者がＸ線制御部７に接続されたフットスイッチ（図示しない）を踏んで透視のためのＸ線を発生させると、システム制御部１１は領域ａ、領域ｂ、領域ｅ、領域ｆの各領域について、１秒ごとに過去１年間の被曝線量Ｙａ，Ｙｂ，Ｙｅ，ＹｆにＸａ，Ｘｂ，Ｘｅ，Ｘｆを加算して新たな過去１年間の被曝線量を算出するとともに、新たな過去１年間の被曝線量Ｙｎを用いて再度（２）式の計算を行い、新たな透視可能時間Ｔｎを算出し、モニタ装置６に表示されている図１に示す表の各領域について過去１年間の被曝線量Ｙａ，Ｙｂ，Ｙｅ，Ｙｆおよび透視可能時間Ｔａ，Ｔｂ，Ｔｅ，Ｔｆを更新する。
【００１０】
透視中に透視Ｘ線条件や焦点から各領域までの距離が変わった場合、その後の１秒以内に行われる上述の表の更新時に、（１）式に従って算出される各領域の入射線量率が変更され、その結果はその後の過去１年間の被曝線量および（２）式に示す透視可能時間の算出にも反映される。また、透視中にDSA等のＸ線撮影が行われた場合、撮影Ｘ線条件から同様の方法で各領域の入射線量が算出されて過去１年間の被曝線量に加算され、以後の透視可能時間の算出に反映される。
【００１１】
上記の実施例では、被検者４の体表面上の各領域に対する過去１年間の被曝線量は被検者４の照射記録文書等を参照して人手により入力されたが、照射記録が電子的に保管されて病院内ネットワーク等によりオンラインで入力されてもよい。
【００１２】
上記の実施例では透視可能時間をモニタ装置６に表示したが、例えば音声により通知する等の方法によってもよい。
【産業上の利用可能性】
【００１３】
診断のためにＸ線を用いて透視や撮影を行う診断用Ｘ線透視撮影装置に関する。
【図面の簡単な説明】
【００１４】
【図１】本発明による透視可能時間の表示例を示す図である。
【図２】被検者の体表面上の領域区分とＸ線照射野の関係を示す図である。
【図３】循環器Ｘ線検査等に用いられるＸ線透視撮影装置の構成例を示す図である。
【符号の説明】
【００１５】
１：Ｃアーム保持装置
１Ａ：Ｃ型アーム部
２：Ｘ線管
３：天板
４：被検者
５：Ｘ線検出器
６：モニタ装置
７：Ｘ線制御部
８：天板制御部
９：Ｃアーム制御部
１０：画像処理部
１１：システム制御部
１２：Ｘ線照射領域
１３：コリメータ
【図１】
2007244489.tif 000005
【図２】
2007244489.tif 000006
【図３】
2007244489.tif 000007